(57)【要約】【課題】飼い主等の手がペットの排泄物に触れないように使用後のペット用トイレシートを簡単に処理できるとともに、使用後のペット用トイレシートを持ち運んでも、ペットの排泄物が見え難く、他人に不快な思いをさせたり、飼い主が恥ずかしい思いをしたりし難いペット用トイレシートを提供すること。【解決手段】本発明のペット用トイレシート１Ａは、裏面シート３を備えたシート本体１０と、裏面シート３の外面に配された最外層シート５とを有する。最外層シート５は、シート本体１０の外周縁部６に配された強接着部７１，７２にて裏面シート３と固定され、強接着部７１以外の部分は裏面シート３と固定されていないか又は仮固定部７３にて仮固定されている。トイレシート１Ａは、強接着部７１，７２を軸にして最外層シート５を転回し、使用後には転回した最外層シート５が持ち手となる。【選択図】図１
2013111048.tif 000002
【特許請求の範囲】
【請求項１】
ペットの排泄物を受ける排泄物捕捉面を形成する液透過性の表面シートと、非排泄物捕捉面を形成する液不透過性の裏面シートとを備えたシート本体を有するペット用トイレシートであって、
前記シート本体の前記裏面シートの外面に最外層シートが配されており、
前記最外層シートは、前記シート本体の外周縁部に配された強接着部にて前記裏面シートと固定され、該強接着部以外の部分は該裏面シートと固定されていないか又は易離脱可能な仮固定部にて仮固定されており、
前記強接着部を軸にして前記最外層シートは前記排泄物捕捉面側に転回されて、持ち手となるよう構成されたペット用トイレシート。
【請求項２】
前記最外層シートがフィルム材である、請求項１記載のペット用トイレシート。
【請求項３】
前記最外層シートは、自己接着性を有している請求項１又は２に記載のペット用トイレシート。
【請求項４】
前記裏面シートは不透明であり、前記最外層シートは有色である請求項１〜３の何れか１項に記載のペット用トイレシート。
【請求項５】
前記最外層シートは、前記外周縁部以外の領域において、少なくとも使用後には、分離した一対のシート部を備えるようになされている、請求項１〜４いずれか記載のペット用トイレシート。
【請求項６】
一対の前記シート部には、前記強接着部以外の部分に開口部が設けられている請求項５に記載のペット用トイレシート。
【請求項７】
前記最外層シートには、前記一対のシート部を形成するようにミシン目が設けられており、
一対の前記シート部は、それぞれ、前記シート本体の外周縁部に配された強接着部にて前記裏面シートと固定され、該強接着部以外の部分は該裏面シートと固定されていないか又は易離脱可能な仮固定部にて仮固定されている、請求項５又は６に記載のペット用トイレシート。
【請求項８】
前記ペット用トイレシートは、矩形状であり、
前記最外層シートは、矩形状の前記ペット用トイレシートの一方の一対の側辺それぞれと他方の一対の側辺における１側辺とに一致する輪郭を有するコの字形状であり、
前記ペット用トイレシートは、前記強接着部を軸にしてコの字形状の前記最外層シートを前記排泄物捕捉面側に転回し、転回した該最外層シートにおけるコの字形状の開口側の両側先端部分を互いに重ね合わせ、重ね合わせた部分が持ち手となる請求項１〜４の何れか1項に記載のペット用トイレシート。
【発明の詳細な説明】
【技術分野】
【０００１】
本発明は、犬や猫等のペット（小動物）の排泄液の処理に用いられるペット用トイレシートに関する。
【背景技術】
【０００２】
従来、犬や猫等のペットを住居内で飼育する場合、ペットの排泄物の処理には、ペット用トイレシートが使用されている。使用後のペット用トイレシートを廃棄処分する際に、飼い主等の手がペットの排泄物に触れないように簡単に処理できるペット用トイレシートとして、例えば、特許文献１又は２には、紐を取り付けたペット用トイレシートが開示されており、特許文献３には、ペット用トイレシートの外周縁部に設けられたミシン目を切り離して紐を見立てるペット用トイレシートが開示されている。
ところで、都市部では、ペットである特に犬の散歩時において、犬の排泄行為により住民とのトラブルが生じることがある。
【先行技術文献】
【特許文献】
【０００３】
【特許文献１】登録実用新案第３０５３１４５号公報
【特許文献２】特開２００１−２０４２８６号公報
【特許文献３】特開２００５−１３７３４３号公報
【発明の概要】
【発明が解決しようとする課題】
【０００４】
特許文献１〜３に記載のペット用トイレシートは、何れも、紐を結ぶことにより使用後のペット用トイレシートを巾着袋状に変形させて廃棄するものである。このために、これらシートを散歩時に使用する場合、シート内に排泄物を取り込み、廃棄形状を形成するという操作を行う際には、以下のような困難を伴う場合がある。（１）紐部分に排泄物が付き易いために紐部分を持ち手に使えなくなることがある。（２）引っ張り操作や排泄物の重みによって紐部分がシートから外れてしまうことがある。特に、市街地、住宅地を散歩する場合には、排泄物の処理を急ぐあまりに気が急いてしまい、また、夜間の散歩では見え難く、いずれの場合にもこのような問題が顕著になる。また、特許文献２及び３の技術は外出時の持ち運びを想定したものではなく、これを散歩時の廃棄物処理に使用すると紐の結び目以外の部位から、中の排泄物が見え、他人に不快な思いをさせたり、飼い主が恥ずかしい思いをしたりする場合がある。
【０００５】
従って本発明の課題は、飼い主等の手がペットの排泄物に触れないように簡単に処理できるとともに、処理の操作時等に汚染、破損の恐れが少なく、使用後のペット用トイレシートを持ち運んでも、ペットの排泄物が見え難く、他人に不快な思いをさせたり、飼い主が恥ずかしい思いをしたりし難いペット用トイレシートを提供することにある。
【課題を解決するための手段】
【０００６】
本発明は、ペットの排泄物を受ける排泄物捕捉面を形成する液透過性の表面シートと、非排泄物捕捉面を形成する液不透過性の裏面シートとを備えたシート本体を有するペット用トイレシートであって、前記シート本体の前記裏面シートの外面に最外層シートが配されており、前記最外層シートは、前記シート本体の外周縁部に配された強接着部にて前記裏面シートと固定され、該強接着部以外の部分は該裏面シートと固定されていないか又は易離脱可能な仮固定部にて仮固定されており、前記ペット用トイレシートは、前記強接着部を軸にして前記最外層シートを前記排泄物捕捉面側に転回し、使用後には転回した該最外層シートが持ち手となるペット用トイレシートを提供することにより、前記課題を解決したものである。
【発明の効果】
【０００７】
本発明のペット用トイレシートは、飼い主等の手がペットの排泄物に触れないように使用後のペット用トイレシートを簡単に処理できるとともに、使用後のペット用トイレシートを持ち運んでも、ペットの排泄物が見え難く、他人に不快な思いをさせたり、飼い主が恥ずかしい思いをしたりし難い。
【図面の簡単な説明】
【０００８】
【図１】図１は、本発明のペット用トイレシートの第１実施形態を表面シート側からみた一部破断平面図である。
【図２】図２は、図１のペット用トイレシートを最外層シート側から見た平面図である。
【図３】図３は、図１のＸ１−Ｘ１線断面図である。
【図４】図４は、図１のＹ１−Ｙ１線断面図である。
【図５】図５は、使用後の図１のペット用トイレシートを使用する際の態様を説明する図であり、図５（ａ）はペットの排泄物を捕捉したシート本体から最外層シートのシート部を裏返す動作を示す図であり、図５（ｂ）は排泄物をシート本体で包むとともに裏返したシート部どうしを重ねる動作を示す図であり、図５（ｃ）は排泄物をシート本体で包むとともに裏返したシート部どうしを重ねた状態を示す図であり、図５（ｄ）は図５（ｃ）のＺ１−Ｚ１線断面図である。
【図６】図６は、本発明のペット用トイレシートの第２実施形態を最外層シート側から見た平面図である（図２相当図）。
【図７】図７は、本発明のペット用トイレシートの第３実施形態を最外層シート側から見た平面図である（図２相当図）。
【図８】図８は、本発明のペット用トイレシートの第４実施形態を最外層シート側から見た平面図である（図２相当図）。
【発明を実施するための形態】
【０００９】
以下、本発明のペット用トイレシートについて、その好ましい第１実施形態に基づき図１〜図５を参照しながら説明する。
第１実施形態のペット用トイレシート１Ａ（以下、「トイレシート１Ａ」ともいう）は、図１〜図４に示すように、ペットの排泄物を受ける排泄物捕捉面を形成する液透過性の表面シート２と、非排泄物捕捉面を形成する液不透過性の裏面シート３と、それらシート２，３の間に配された液保持性の吸収体４とを備えたシート本体１０を有している。また、トイレシート１Ａには、図１〜図４に示すように、裏面シート３の外面に最外層シート５が配されている。
【００１０】
本発明のペット用トイレシート又はペット用トイレシートを構成する材料においては、ペットが排泄を行ったり、ペットが排泄した排泄物を捕捉したりする面を「排泄物捕捉面」、「上面」又は「内面」、ペットが排泄を行う面から遠い面（反対側の面）を「非排泄物捕捉面」、「下面」又は「外面」と呼ぶ。
【００１１】
第１実施形態のトイレシート１Ａを平面視した形状は、図１，図２に示すように、Ｙ方向に長い長方形状であるが、平面視した形状に特に制限はなく、例えば楕円形、多角形等の形状であってもよい。図中の「Ｙ方向」は、トイレシート１Ａの長手方向と同じ方向であり、図中の「Ｘ方向」は、トイレシート１Ａの幅方向と同じ方向であり、Ｙ方向に垂直な方向である。図中の「Ｚ方向」は、トイレシート１Ａの厚み方向と同じ方向であり、上下方向である。
【００１２】
シート本体１０の排泄物捕捉面を形成する表面シート２は、液透過性のシートである。表面シート２は、トイレシート１Ａにおいては、図１，図２に示すように、後述する吸収体４の外周よりも外方に延出しており、トイレシート１Ａの輪郭と一致する輪郭を有している。
【００１３】
表面シート２としては、例えば不織布や多孔性フィルムシート等を用いることができる。表面シート２としては、液保持性がないか極めて低いもので、液を素早く下層側へ通過させやすい材料を用いることが好ましい。そのような材料を使用することにより、表面の液残りが少なくなるので尿が拡散し難く、尿臭も拡散し難くなる。表面シート２の材料としては、撥水性繊維からなる不織布又はそれを親水化処理した不織布や、樹脂性の多孔性フィルムシートが好ましい。
【００１４】
表面シート２に不織布を使用する場合には、ペットが特に犬の場合には、いたずらで引っ掻いたり、掘り起こしたりする動作などをするために、十分な強度を有するものが好ましい。そのような不織布としては、ヒートロール不織布、スパンボンド不織布、エアスルー不織布などが挙げられる。十分な液透過性及び機械的強度の確保、並びに経済性の観点から、不織布の坪量は、１０〜１００ｇ／ｍ2、特に１５〜４０ｇ／ｍ2であることが好ましい。
【００１５】
シート本体１０の非排泄物捕捉面を形成する裏面シート３は、液不透過性のシートである。裏面シート３は、トイレシート１Ａにおいては、図１，図２に示すように、後述する吸収体４の外周よりも外方に延出しており、トイレシート１Ａの輪郭と一致する輪郭を有しており、表面シート２と同形同大に形成されている。
【００１６】
裏面シート３としては、例えば合成樹脂製の液不透過性フィルムや、スパンボンド−メルトブローン−スパンボンド積層(ＳＭＳ)不織布等の耐水圧が高い撥水性の不織布を用いることができる。裏面シート３としては、透湿性がないか低い材料を用いることが、尿が排泄された後放置されていても裏面シートから外界に湿気の移動を抑制できるとともに、臭気が外界に漏れることを抑制できるので好ましい。低透湿性という点からは、裏面シート３として合成樹脂製のフィルムを用いることが好ましい。
【００１７】
裏面シート３は、ペットの排泄物を包んだトイレシート１Ａから該排泄物が見え難く、使用感が向上する観点から、不透明であることが好ましい。「不透明」であるとは、外界からの光を透過しにくくすることで内容物が見えにくい程度になっている状態であることを意味する。具体的には、ＪＩＳ  Ｋ  ７１０５法に準拠した全光線透過率測定方法に従って、反射・透過率計（例えば、（株）村上色彩研究所製、商品名「ＨＲ−１００」）を用いて、裏面シート３の任意の点１０点を、Ａ光源で全光透過率Ｔｔの値を測定し、その平均値を光透過率とし、当該値が０〜７０％、特に０〜５０％、更に０〜３０％のものが好ましい。
また、裏面シート３は、その光透過率が比較的高い場合（５０％超の場合）には、艶消しや擦り硝子調のもの、あるいは表面に皺や襞を設けたものであると、内容物が見え難くなるので、より好ましい。勿論、光透過率が低い場合（５０％以下の場合）でも同様のものを使用してよい。
【００１８】
図１に示すシート本体１０の吸収体４を平面視した形状は、Ｙ方向に長い長方形状であるが、特に制限はなく、例えば楕円形、多角形等の形状であってもよい。
【００１９】
吸収体４としては、パルプ等のセルロース系繊維からなる吸液性繊維と、高吸収性ポリマー等のヒドロゲル材料からなる粒子との混合体から構成されているものや、又は該混合体がティッシュペーパーや不織布等からなる液透過性シートで包被されて構成されているもの、更には、２枚の不織布の間に膨潤可能な状態で高吸収性ポリマーが挟持されたパルプレス構造のものや、特開平８−２４６３９５号公報記載の吸収性シートなどを使用することができる。トイレシート１Ａでは、吸水性ポリマー、解繊パルプ等の混合物を主とする吸収体４をパルプ製の紙によって包被して吸収構造体を吸収体４として用いている。
【００２０】
シート本体１０は、図１〜図４に示すように、表面シート２と裏面シート３との間に長方形状の吸収体４を配し、吸収体４の外周よりも外方に延出する表面シート２の延出部分と裏面シート３の延出部分を、ホットメルト等の接着剤やヒートシール、超音波シール、高周波シール等の融着手段を用いて固定した外周縁部６を有している。外周縁部６により、表面シート２と裏面シート３との間に、吸収体４が挟持されるようになっており、吸収体４を構成する高吸収性ポリマー等が密封されている。外周縁部６の幅は、１〜５０ｍｍ、特に３〜３５ｍｍであることが、排泄物捕捉部分面積の確保と廃棄形状成形性の観点から好ましい。外周縁部６は、Ｘ方向に延びる一対の短手シール部６１，６１とＹ方向に延びる一対の長手シール部６２，６２と、を有している。
【００２１】
トイレシート１Ａには、図１〜図４に示すように、シート本体１０の裏面シート３の外面に最外層シート５が配されている。最外層シート５は、トイレシート１Ａにおいては、図１，図２に示すように、トイレシート１Ａの輪郭（シート本体１０の輪郭）と一致する輪郭を有しており、表面シート２及び裏面シート３と同形同大に形成されている。最外層シート５は、トイレシート１Ａにおいては、図１，図２に示すように、裏面シート３の全面積（１００％）を覆うように配されている。
【００２２】
最外層シート５は、図３，図４に示すように、シート本体１０の非排泄物捕捉面を形成する裏面シート３の外面（下面）に配されるもので、トイレシート１Ａにおいては、Ｚ方向において最も下側に位置するものであることから、使用時、散歩等の場面では地面又は使用者の手等に、室内では床やペット用トイレに直接接触する部位である。
【００２３】
最外層シート５は、シート本体１０の外周縁部６に配された強接着部７１，７２にて裏面シート３と固定され、強接着部７１，７２以外の部分は裏面シート３と固定されていないか又は易離脱可能な仮固定部７３にて仮固定されている。ここで「外周縁部に配された」とは、該周縁部６の全てに配されている必要はなく、本実施形態のように、該周縁部６の一部に配されていることを含む。トイレシート１Ａにおいては、図１〜図３に示すように、一対のシート部５ａ，５ｂを備えており、一対のシート部５ａ，５ｂは、それぞれ、シート本体１０の外周縁部６に配された強接着部７１ａ，７２ａ，７２ｂにて裏面シート３と固定され、これら以外の部分は裏面シート３と固定されていないか又は易離脱可能な仮固定部７３にて仮固定されている。具体的に説明すると、最外層シート５は、トイレシート１Ａにおいては、図２，図３に示すように、Ｘ方向に関して上側のシート部５ａと下側のシート部５ｂとを備えている。トイレシート１Ａにおいては、シート部５ａ及びシート部５ｂにより、裏面シート３の全面積を覆うように配されている。尚、トイレシート１Ａにおいては、シート部５ａ及びシート部５ｂにより、裏面シート３の全面積を覆うように配されているが、裏面シート３の全面積の３分の１以上を覆うように配されていれば良い。また、Ｘ方向には３分の２以上、Ｙ方向には２分の１以上の長さを覆うように配されていれば良い。
【００２４】
シート部５ａ及びシート部５ｂは、トイレシート１Ａにおいては、図２に示すように、それぞれ矩形状であり、Ｙ方向においてはシート本体１０（裏面シート３）の長さと同じ長さを有している。シート部５ａは、トイレシート１Ａにおいては、シート本体１０（裏面シート３）のＸ方向の長さの１０〜９５％の長さを有しており、シート部５ｂは、トイレシート１Ａにおいては、シート本体１０（裏面シート３）のＸ方向の長さの１０〜１００％の長さを有しており、図３に示すように、シート部５ａのＸ方向下側の他端部を覆うように、シート部５ａの他端部とシート部５ｂのＸ方向上側の他端部とが重なっている。
【００２５】
上側のシート部５ａは、トイレシート１Ａにおいては、図２に示すように、シート本体１０の外周縁部６である一対の短手シール部６１，６１において、シート部５ａのＹ方向の両端部が、Ｘ方向に延びる強接着部７１ａ，７１ａにて裏面シート３に固定されており、シート本体１０の外周縁部６である一方の長手シール部６２において、シート部５ａのＸ方向上側の一端部が、Ｙ方向に延びる強接着部７２ａにて裏面シート３に固定されているが、それ以外の部分においては裏面シート３に固定されていない。トイレシート１Ａにおいては、上側のシート部５ａに、仮固定部７３が配されていない。
【００２６】
下側のシート部５ｂは、トイレシート１Ａにおいては、図２に示すように、シート本体１０の外周縁部６である他方の長手シール部６２において、シート部５ａのＸ方向下側の一端部が、Ｙ方向に延びる強接着部７２ｂにて裏面シート３に固定されており、Ｘ方向上側の他端部が、易離脱可能な仮固定部７３にて裏面シート３に仮固定されているが、それ以外の部分においては裏面シート３に固定されていない。
【００２７】
強接着部７１ａは、トイレシート１Ａにおいては、図１，図２に示すように、外周縁部６の一方の短手シール部６１と重なるシート部５ａのＹ方向の一端部の位置に配され、シート部５ａのＸ方向の全長に亘って配されている。同様に、強接着部７１ａは、トイレシート１Ａにおいては、図１，図２に示すように、外周縁部６の他方の短手シール部６１と重なるシート部５ａのＹ方向の他端部の位置に配され、シート部５ａのＸ方向の全長に亘って配されている。
また、強接着部７２ａは、トイレシート１Ａにおいては、図１，図２に示すように、外周縁部６の一方の長手シール部６２と重なるシート部５ａのＸ方向の一端部の位置に配され、シート部５ａのＹ方向の全長に亘って配されている。
一対の強接着部７１ａ，７１ａと強接着部７２ａとで、トイレシート１Ａにおいては、図１，図２に示すように、コの字状を形成している。
このように配された強接着部７１ａ，７１ａを介して、シート本体１０の外周縁部６である一対の短手シール部６１，６１とシート部５ａのＹ方向の両端部とを強固に接着し、強接着部７２ａを介して、シート本体１０の外周縁部６である一方の長手シール部６２とシート部５ａのＸ方向の一端部とを強固に接着している。
【００２８】
また、強接着部７２ｂは、トイレシート１Ａにおいては、図１，図２に示すように、外周縁部６の他方の長手シール部６２と重なるシート部５ｂのＸ方向の一端部の位置に配され、シート部５ｂのＹ方向の全長に亘って配されている。このように配された強接着部７２ｂを介して、シート本体１０の外周縁部６である他方の長手シール部６２とシート部５ｂのＸ方向の一端部とを強固に接着している。上述した強接着部７１，７２は、外周縁部６の形成と同様に、ホットメルト等の接着剤を塗布したり、ヒートシール、超音波シール、高周波シール等の融着手段を用いたりして形成されている。
【００２９】
仮固定部７３は、トイレシート１Ａにおいては、図２，図３に示すように、シート部５ｂのＸ方向上側の他端部の位置で且つシート部５ａの他端部と重ならない位置に配され、トイレシート１ＡのＹ方向の中央部にのみ配されている。仮固定部７３は、易離脱可能に仮固定されている部分であり、仮固定する手法としては、種々の手法が用いられるが、トイレシート１Ａにおいては、最外層シート５に対して剥離性を有する粘着剤を塗布して形成されている。このように配された仮固定部７３を介して、シート本体１０とシート部５ｂの他端部とを仮接着している。
【００３０】
トイレシート１Ａの最外層シート５（シート部５ａ，５ｂ）は、自己接着性を有している。自己接着性を有する最外層シート５は、シート基材の少なくとも非排泄物捕捉面（下面）に、自着剤を塗布して形成される。ここで、自己接着性とは、同種の材料間で接着する性質を意味し、具体的には、前記シート基材に塗布されている自着剤同士でのみ接着性を有する場合や、シート基材同士の高い摩擦力によって接着される場合などが挙げられる。このような自己接着性を有する最外層シート５を用いると、廃棄形状を容易に、かつ、任意の形状に形成できるので好ましい。特に、他の材料に対しては実質的に接着しない性質を併せ持つと、最外層シート５は、シート本体１０を構成する表面シート２や裏面シート３等の該最外層シート５以外のトイレシート１Ａの構成部材に実質的に接着しないので、使用後のトイレシート１Ａの廃棄時の操作性に優れるようになる。
尚、トイレシート１Ａの最外層シート５（シート部５ａ，５ｂ）は自己接着性を有しているが、本発明のペット用トイレシートにおいては自己接着性を有していなくてもよい。
【００３１】
最外層シート５（シート部５ａ，５ｂ）の基材としては、フィルムシート、不織布シート、パルプ製シートが挙げられるが、フィルム材料であることが、材料の節約、扱いやすさ、臭気閉じ込めの点から好ましい。フィルムシート基材としては、柔らかい液不透過性のフィルムが好ましく、具体的には、ポリエステル、ポリアミド、アクリル、ポリウレタン、ポリエチレン等の樹脂から形成されたフィルムや、これらいくつかの樹脂が複合されて形成されたフィルム等が挙げられる。最外層シート５が、不透過性のフィルムで構成されていると、上述したように、最外層シート５はＺ方向において最も下側に位置するものであることから、裏面シート３からの漏れを更に防止することができる。
【００３２】
最外層シート５（シート部５ａ，５ｂ）のフィルムシート基材としては、伸長性のフィルムが好ましく、伸長性で且つ不透過性のフィルムであることが更に好ましく、伸長性で且つ不透過性のフィルムであって更に自己接着性を有していることが、廃棄操作時の形状の形成容易性や操作容易性の観点から特に好ましい。最外層シート５の伸長性は、使用後のトイレシート１Ａの廃棄時の操作性に優れる観点から、少なくともＸ方向に伸長性を有していることが好ましく、Ｘ方向及びＹ方向に伸長性を有していることが更に好ましい。
【００３３】
また、最外層シート５（シート部５ａ，５ｂ）の基材としては、フィルム材料に代えて不織布やパルプシート（紙を含む）を用いることも可能である。不織布の場合には、伸長性のものであり、かつ、毛羽立てたものをシート部５ａ、５ｂの一方に使用することによって互いの接着性を発現することが可能となる。また、パルプシートの場合には、シート部５ａ，５ｂの一方に目の粗いシートを、他方に目の細かいシートを配することによって接着性を発現することが可能となる。また、いずれの場合にも、撥水性又は疎水性とすることが好ましい。
【００３４】
最外層シート５（シート部５ａ，５ｂ）が伸長性を有している場合、使用後のトイレシート１Ａの廃棄時の操作性に優れる観点から、最外層シート５は、Ｘ方向における最大伸長率が１２０％以上であることが好ましく、１５０％以上であることが更に好ましい。なお、最外層シート５の伸長性は収縮性がないか、極めて弱い、すなわち、塑性変形することが好ましい。最大伸長率は以下の方法で測定される。Ｘ方向に伸長性を有している場合も同様である。
【００３５】
＜最外層シートの伸度の測定方法＞
トイレシート１Ａから最外層シート５（シート部５ａ，５ｂ）を、Ｘ方向に１００ｍｍ、Ｙ方向に２５ｍｍ切り出し、測定片を作製する。測定片を、Ｘ方向が引張方向となるように、引張試験機（株式会社オリエンテックの「テンシロン」ＲＴＡ−１００）のチャックに取り付ける。初期チャック間距離は５０ｍｍとする。次に、測定片を１００ｍｍ／ｍｉｎで最外層シートが破断するまで引っ張り、破断時の伸びの長さから初期長（１００ｍｍ）を引き、その値をチャック間距離で除し更に１００を乗じた値を最大伸長率とする。尚、測定片の寸法が、前述した大きさに満たない場合には、その寸法で適宜測定しても良い。Ｙ方向に伸長性を有している場合も同様な方法で測定する。
【００３６】
最外層シート５（シート部５ａ，５ｂ）の自着剤としては、十分な止着力を有するものが好ましい。具体的には、アクリル系重合体、天然ゴム由来の重合体、ポリウレタン系重合体等が挙げられ、アクリル系重合体を使用することが好ましい。アクリル系重合体は、アクリル酸アルキルエステル及び／またはメタクリル酸アルキルエステルを主成分とする（メタ）アクリル酸エステルの単独重合体または共重合体である。（メタ）アクリル酸アルキルエステルの具体例としては、アクリル酸メチル、アクリル酸エチル、アクリル酸イソプロピル、アクリル酸ｎ−ブチル、アクリル酸ｔ−ブチル、アクリル酸イソアミル、アクリル酸２−エチルヘキシル、アクリル酸ｎ−オクチル、アクリル酸イソオクチル、アクリル酸イソノニル、アクリル酸デシル、アクリル酸ドデシル等のアクリル酸アルキルエステル、メタクリル酸メチル、メタクリル酸エチル、メタクリル酸ｎ−ブチル、メタクリル酸イソブチル、メタクリル酸ｔ−ブチル、メタクリル酸イソアミル、メタクリル酸２−エチルヘキシル、メタクリル酸ｎ−オクチル、メタクリル酸イソオクチル、メタクリル酸イソノニル、メタクリル酸デシル、メタクリル酸ドデシル等のメタクリル酸アルキルエステルが挙げられる。これらの（メタ）アクリル酸アルキルエステルは、それぞれ単独で、あるいは２種以上を組み合わせて使用することができる。
【００３７】
最外層シート５（シート部５ａ，５ｂ）は、ペットの排泄物を包んだトイレシート１Ａから該排泄物が見え難く、使用感が向上する観点から、有色であることが好ましく、特に、裏面シート３が不透明で且つ最外層シート５が有色であることが好ましい。ここで「有色」とは、無色透明を除くが、白色（Ｌ*値が８５以上）は含む概念である。ただし、白色の場合には、白乳色であることが好ましい。一方で、白色以外の有色系である場合には、最外層シート５は、具体的には、Ｌ*ａ*ｂ*表色系におけるＬ*値が４０以下、特に２５以下、更には１０以下のものであることが好ましい。ここで最外層シート５のＬ*値は色差計によって測定できる。例えば、日本電色工業（株）のハンディ型分光色差計ＮＦ７７７（商品名）を用い、照明条件Ｃ、視野角条件２°、正面受光条件０／４５°、光束径φ１０ｍｍの測定条件で、最外層シート５の反射光を測定して求めることができる。このとき、背景板としてＬ*値が９５以上の白色板を用いて測定することが好ましい。
【００３８】
トイレシート１Ａの厚みは、用途に応じて適宜調整されればよいが、好ましくは１〜２０ｍｍ、更に好ましくは２〜１５ｍｍである。シート本体１０の吸収体４の厚みは、用途に応じて適宜調整されればよいが、好ましくは０．５〜１８ｍｍ、更に好ましくは１〜１５ｍｍである。
前記厚みは、特に断らない限り、測定法としてはキーエンス社製のレーザー厚み計（商品名：ＬＫ−０８０）にて０．２４５ｋＰａの荷重下で測定した値を厚みとする。
【００３９】
次に上述した本発明の第１実施形態のトイレシート１Ａを使用した際の作用効果について説明する。
トイレシート１Ａは、強接着部７１，７２を軸にして最外層シート５を排泄物捕捉面側に転回し、使用後には転回した最外層シート５が持ち手となる。具体的には、トイレシート１Ａの使用に際しては、例えば、飼い犬の散歩時に折り畳んだトイレシート１Ａを持ち運び、犬が排泄物である大便をすると、トイレシート１Ａを広げて排泄物捕捉面で捕捉する。次いで、図５（ａ）に示すように、仮固定部７３にて、シート本体１０に仮接着している最外層シート５のシート部５ｂの端部を、シート本体１０から外す。そして、図５（ａ），図５（ｂ）に示すように、シート部５ａについては、コの字状を形成する一対の強接着部７１ａ，７１ａ及び強接着部７２ａを軸として、シート部５ａを排泄物捕捉面側に転回して裏返す。また、シート部５ｂについては、Ｙ方向に延びる強接着部７２ｂを軸として、外したシート部５ｂを排泄物捕捉面側に転回して裏返す。次いで、図５（ｃ），図５（ｄ）に示すように、転回して裏返したシート部５ａ及びシート部５ｂを互いに重ね合わせ、重ね合わせた部分を持ち手として握り、その状態で散歩を続けるようにして使用する。このとき、仮固定部７３をシート５ａに対して固定可能なようにシート５ａを伸長させて使用するとトイレシート１Ａの密閉性が高くなり、好ましい。トイレシート１Ａにおいては、上述したように、飼い主等の手がペットの排泄物に触れないように使用後のペット用トイレシート１Ａを簡単に処理できる。また、トイレシート１Ａにおいては、最外層シートが外周縁部以外の領域において、使用後には分離した一対のシート部を備えるようなされていることから、上述した図５（ｃ），図５（ｄ）に示すように、転回して裏返したシート部５ａ及びシート部５ｂを互いに重ね合わせているので、犬の排泄物である大便を完全に覆うことができ、使用後のペット用トイレシート１Ａを持ち運んでも、ペットの排泄物が外部から見え難く、他人に不快な思いをさせたり、飼い主が恥ずかしい思いをしたりし難い。
【００４０】
また、トイレシート１Ａの最外層シート５（シート部５ａ，５ｂ）は、自己接着性を有しているので、図５（ｃ），図５（ｄ）に示すように、転回して裏返したシート部５ａ及びシート部５ｂを互いに重ね合わせると、シート部５ａ，５ｂ同士で接着し、犬の排泄物である大便を完全に密閉することができる。その為、更に排泄物が見え難く、排泄物の臭いが拡散し難い。更に、本実施形態では仮固定部７３が密閉性を高めるのに役立っている。
【００４１】
また、トイレシート１Ａの最外層シート５が、伸長性と自己接着性をあわせ持つので、所望の廃棄形状にすることが容易であることから、排泄物量が多い場合と少ない場合で内容物が見え難い形状とすることも、また、コンパクトな形状に纏めることも可能であるので、非常に使い勝手が良いものである。そして、トイレシート１Ａは液保持性の吸収体を備えているので、軟便や尿の吸収、保持に有用であり、特に、市街地や住宅地において大量の排尿があった場合には表面シート側を尿に押し当てることによって素早く尿を吸収するので、非常に都合が良い。
【００４２】
以下に、本発明の第２実施形態〜第４実施形態のトイレシートについて、図６〜８に基づいて、それぞれ説明する。各実施形態のペット用トイレシート１Ｂ〜１Ｄ（以下、「トイレシート１Ｂ」、「トイレシート１Ｃ」及び「トイレシート１Ｄ」ともいう）については、第１実施形態のトイレシート１Ａと異なる点について説明する。特に説明しない点は、トイレシート１Ａと同様であり、トイレシート１Ａの説明が適宜適用される。
【００４３】
裏面シート３の外面に配される最外層シート５は、図６に示すように、裏面シート３の全面積の５０％〜９０％を覆うように配されていることが好ましい。具体的には、トイレシート１Ｂの最外層シート５は、図６に示すように、上側のシート部５ａと下側のシート部５ｂとを備えている。トイレシート１Ｂにおいては、シート部５ａ及びシート部５ｂにより、裏面シート３の全面積の５０％〜９０％を覆うように配されている。シート部５ａ及びシート部５ｂは、それぞれ矩形状であり、Ｙ方向においてはシート本体１０（裏面シート３）の長さと同じ長さを有している。シート部５ａ，５ｂは、トイレシート１Ｂにおいては、シート本体１０（裏面シート３）のＸ方向の長さの１０〜４５％の長さを有している。
【００４４】
シート部５ａ，５ｂは、トイレシート１Ｂにおいては、図６に示すように、シート本体１０の外周縁部６である一対の短手シール部６１，６１において、シート部５ａ，５ｂのＹ方向の両端部が、Ｘ方向に延びる強接着部７１ａ，７１ａ，７１ｂ，７１ｂにて裏面シート３に固定されており、シート本体１０の外周縁部６である一方の長手シール部６２、６２において、シート部５ａのＸ方向上側、シート部５ｂのＸ方向下側それぞれの一端部が、Ｙ方向に延びる強接着部７２ａ，７２ｂにて裏面シート３に固定されているが、それ以外の部分においては裏面シート３に固定されていない。尚、トイレシート１Ｂにおいては、シート部５ａ，５ｂには、仮固定部７３が配されていない。
【００４５】
トイレシート１Ｂのシート部５ａ，５ｂ各々には、図６に示すように、強接着部７１ａ，７１ｂ，７２ａ，７２ｂ以外の部分に持ち手用の開口部５１ａ，５１ｂが設けられている。詳述すると、開口部５１ａ，５１ｂは、トイレシート１Ｂにおいては、図６に示すように、それぞれ、シート部５ａのＸ方向下側の他端部の位置とシート部５ｂのＸ方向上側の他端部に配され、トイレシート１ＢのＹ方向の中央部に配されている。開口部５１ａ，５１ｂの形状は、トイレシート１Ｂにおいては、図６に示すように、Ｙ方向に長い楕円形状であるが、その形状に特に制限はなく、指が入れば、例えば多角形等の形状であってもよい。また、散歩用のリードを挿通可能な大きさであっても良い。
【００４６】
強接着部７１ａ，７１ａ，７１ｂ，７１ｂ各々は、トイレシート１Ｂにおいては、図６に示すように、外周縁部６の一方の短手シール部６１と重なるシート部５ａ，５ｂのＹ方向の一端部の位置に配され、シート部５ａ，５ｂ各々のＸ方向の全長に亘って配されている。
また、強接着部７２ｂ，７２ｂは、トイレシート１Ｂにおいては、図６に示すように、外周縁部６の一方の長手シール部６２と重なるシート部５ａのＸ方向の一端部の位置に配され、シート部５ａのＹ方向の全長に亘って配されている。シート部５ａ，５ｂ各々に関して、一対の強接着部７１ａ，７１ａ，７１ｂ，７１ｂと強接着部７２ｂ，７２ｂとで、トイレシート１Ｂにおいては、図６に示すように、コの字状を形成している。
このように配された強接着部７１ａ，７１ａ，７１ｂ，７１ｂを介して、シート本体１０の外周縁部６である一対の短手シール部６１，６１とシート部５ａ，５ｂ各々のＹ方向の両端部とを強固に接着し、強接着部７２ａ，７２ｂを介して、シート本体１０の外周縁部６である一方の長手シール部６２，６２とシート部５ａ，５ｂ各々のＸ方向の一端部とを強固に接着している。
【００４７】
ペット用トイレシート１Ｂは、上述した第１の実施形態であるペット用トイレシート１Ａで説明した効果に加えて、以下のような効果を奏する。強接着部７１，７２を軸にして一対のシート部５ａ，５ｂそれぞれを排泄物捕捉面側に転回し、転回したシート部５ａ，５ｂを互いに重ね合わせ、使用後には重ね合わせた開口部５１ａ，５１ｂが持ち手となる。詳述すると、トイレシート１Ｂは、排泄物捕捉面で捕捉した後、シート５ａ，５ｂ各々を、コの字状を形成する一対の強接着部及び強接着部を軸として、排泄物捕捉面側に転回して裏返す。そして、転回して裏返したシート部５ａ及びシート部５ｂを互いに重ね合わせ、重ね合わせた開口部５１ａ及び開口部５１ｂが持ち手となり、開口部を持って、その状態で散歩を続けるようにして使用する。トイレシート１Ｂにおいても、トイレシート１Ａと同様に、飼い主等の手がペットの排泄物に触れないように使用後のペット用トイレシート１Ｂを簡単に処理できる。また、トイレシート１Ｂにおいても、トイレシート１Ａと同様に、転回して裏返したシート部５ａ及びシート部５ｂを互いに重ね合わせ、重ね合わせた開口部５１ａ及び開口部５１ｂを持ち手としているので、犬の排泄物である大便を完全に覆うことができ、使用後のペット用トイレシート１Ｂを持ち運んでも、ペットの排泄物が外部から見え難く、他人に不快な思いをさせたり、飼い主が恥ずかしい思いをしたりし難い。
【００４８】
また、開口部５１ａ，５１ｂの存在によって、廃棄形状を決め易いとともに、携帯バック様の形態となることから、住宅地や市街地での携帯でも違和感が少ない。
【００４９】
次に、本発明の第３実施形態のトイレシートについて、図７に基づいて説明する。
裏面シート３の外面に配される最外層シート５は、図７に示すように、裏面シート３の全面積を覆うように配されており、最外層シート５には、ペット用トイレシート１Ｃの使用後に、一対のシート部５ａ，５ｂを形成するように、ミシン目８が設けられている。即ち、ミシン目８を破ることにより、最外層シート５がシート部５ａとシート部５ｂとなる。
【００５０】
ミシン目８は、トイレシート１Ｃにおいては、図７に示すように、トイレシート１ＣのＹ方向の両端部においては、Ｘ方向中央の位置に配されており、Ｙ方向に延在している。Ｙ方向に延びるミシン目８は、図７に示すように、Ｙ方向の中央部において、Ｘ方向の上方に凸状に隆起しており、該隆起した部分が使用後のペット用トイレシート１Ｃを持ち運ぶ際に持ち手となる。
【００５１】
上側のシート部５ａ、下側のシート部５ｂ各々は、トイレシート１Ｃにおいては、図７に示すように、シート本体１０の外周縁部６である一対の短手シール部６１，６１において、シート部５ａのＹ方向の両端部が、Ｘ方向に延びる強接着部７１ａ，７１ａ，７１ｂ，７１ｂにて裏面シート３に固定されており、シート本体１０の外周縁部６である一方の長手シール部６２，６２において、シート部５ａのＸ方向上側の一端部とシート部５ｂのＸ方向下側の一端部が、Ｙ方向に延びる強接着部７２ａにて裏面シート３に固定されているが、それ以外の部分においては裏面シート３に固定されていない。トイレシート１Ｃにおいては、シート部５ａ，５ｂそれぞれには、仮固定部７３が配されていない。
【００５２】
強接着部７１ａ、７１ａは、トイレシート１Ｃにおいては、図７に示すように、外周縁部６の短手シール部６１と重なるシート部５ａのＹ方向の各端部の位置に配され、それぞれシート部５ａのＸ方向の全長の１０〜９０％に亘って配されている。また、強接着部７２ａは、トイレシート１Ｃにおいては、図７に示すように、外周縁部６の一方の長手シール部６２と重なるシート部５ａのＸ方向の一端部の位置に配され、シート部５ａのＹ方向の全長に亘って配されている。一対の強接着部７１ａ，７１ａと強接着部７２ｂとで、トイレシート１Ｃにおいては、図７に示すように、コの字状を形成している。
このように配された強接着部７１ａ，７１ａを介して、シート本体１０の外周縁部６である一対の短手シール部６１，６１とシート部５ａのＹ方向の両端部とを強固に接着し、強接着部７２ａを介して、シート本体１０の外周縁部６である一方の長手シール部６２とシート部５ａのＸ方向の一端部とを強固に接着している。
また、シート部５ｂに関しても同様である。
【００５３】
ペット用トイレシート１Ｃは、ミシン目８を切り離して一対のシート部５ａ，５ｂを形成し、強接着部７１，７２を軸にして一対のシート部５ａ，５ｂそれぞれを排泄物捕捉面側に転回し、転回したシート部５ａ，５ｂを互いに重ね合わせ、使用後には重ね合わせた部分が持ち手となる。詳述すると、ペット用トイレシート１Ｃは、排泄物捕捉面で捕捉後、最外層シート５のミシン目８が切り離されて一対のシート部５ａ，５ｂを形成される。次いで、シート部５ａ、５ｂ各々については、コの字状を形成する前記強接着部を軸として、シート部５ａを排泄物捕捉面側に転回して裏返す。そして、転回して裏返したシート部５ａ，５ｂを互いに重ね合わせ、シート部５ｂに形成された凸状の隆起部分を持って、その状態で散歩を続けるようにして使用する。トイレシート１Ｃにおいても、トイレシート１Ａと同様に、飼い主等の手がペットの排泄物に触れないように使用後のペット用トイレシート１Ｄを簡単に処理できる。また、トイレシート１Ｃにおいても、トイレシート１Ａと同様に、転回して裏返したシート部５ａ及びシート部５ｂを互いに重ね合わせているので、犬の排泄物である大便を完全に覆うことができ、使用後のペット用トイレシート１Ｃを持ち運んでも、ペットの排泄物が外部から見え難く、他人に不快な思いをさせたり、飼い主が恥ずかしい思いをしたりし難い。
【００５４】
次に、本発明の第４実施形態のトイレシートについて、図８に基づいて説明する。
トイレシート１Ｄは、矩形状であり、図８に示すように、Ｙ方向に長い長方形状である。裏面シート３の外面に配される最外層シート５は、図８に示すように、矩形状のトイレシート１Ｄの一方の一対の側辺１１，１１それぞれと他方の一対の側辺１２，１２における１側辺１２とに一致する輪郭を有するコの字形状である。最外層シート５は、図８に示すように、裏面シート３の全面積の５０％〜９０％を覆うように配されていることが好ましい。具体的には、トイレシート１Ｄの最外層シート５は、図８に示すように、Ｙ方向の左側が窪んだコの字形状であり、Ｘ方向においてはシート本体１０（裏面シート３）の長さと同じ長さを有し、Ｙ方向においてはシート本体１０（裏面シート３）の長さの６０〜１００％の長さを有している。尚、Ｙ方向の最外層シート５の長さは、最も長い位置での長さである。
【００５５】
最外層シート５は、トイレシート１Ｄにおいては、図８に示すように、シート本体１０の外周縁部６である一方の短手シール部６１において、最外層シート５のＹ方向の一端部が、Ｘ方向に延びる強接着部７１にて裏面シート３に固定されている。
また、最外層シート５は、トイレシート１Ｄにおいては、図８に示すように、シート本体１０の外周縁部６である一対の長手シール部６２，６２において、最外層シート５のＸ方向の両端部が、Ｙ方向に延びる強接着部７２，７２にて裏面シート３に固定されている。最外層シート５は、強接着部７１，７２以外の部分においては裏面シート３に固定されていないか又は易離脱可能な仮固定部７３にて仮固定されている。
【００５６】
強接着部７１は、トイレシート１Ｄにおいては、図８に示すように、外周縁部６の一方の短手シール部６１と重なる最外層シート５のＹ方向の一端部の位置に配され、最外層シート５のＸ方向の全長に亘って配されている。また、強接着部７２は、トイレシート１Ｄにおいては、図８に示すように、外周縁部６の一方の長手シール部６２と重なる最外層シート５のＸ方向の一端部の位置に配され、最外層シート５のＹ方向の全長の１０〜９０％に亘って配されており、更に外周縁部６の他方の長手シール部６２と重なる最外層シート５のＸ方向の他端部の位置に配され、最外層シート５のＹ方向の全長の１０〜９０％に亘って配されている。一対の強接着部７２，７２と強接着部７１とで、トイレシート１Ｄにおいては、図８に示すように、コの字状を形成している。
このように配された強接着部７２，７２を介して、シート本体１０の外周縁部６である一対の長手シール部６２，６２と最外層シート５のＸ方向の両端部とを強固に接着し、強接着部７１を介して、シート本体１０の外周縁部６である一方の短手シール部６１と最外層シート５のＹ方向の一端部とを強固に接着している。
【００５７】
仮固定部７３は、トイレシート１Ｄにおいては、図８に示すように、コの字形状の最外層シート５の開口側の両側先端部分５２，５２に配されている。言い換えれば、仮固定部７３は、図８に示すように、Ｙ方向左側に開口したコの字形状の最外層シート５におけるＹ方向の両側先端部分５２，５２に、それぞれ配されている。このように配された仮固定部７３を介して、シート本体１０の裏面シート３と最外層シート５の両側先端部分５２，５２とを仮接着している。
【００５８】
トイレシート１Ｄは、強接着部７１，７２を軸にしてコの字形状の最外層シート５を排泄物捕捉面側に転回し、転回した最外層シート５におけるコの字形状の開口側の両側先端部分５２，５２を互いに重ね合わせ、使用後には重ね合わせた部分が持ち手となる。詳述すると、トイレシート１Ｄは、排泄物捕捉面で捕捉後、仮固定部７３にて、シート本体１０に仮接着している最外層シート５の両側先端部分５２，５２を、シート本体１０から外す。次に、コの字状を形成する一対の強接着部７２，７２及び強接着部７１を軸として、最外層シート５を排泄物捕捉面側に転回して裏返す。そして、転回して裏返したコの字形状の最外層シート５における両側先端部分５２，５２を互いに重ね合わせ、重ね合わせた両側先端部分５２，５２を持ち手として握り、その状態で散歩を続けるようにして使用する。トイレシート１Ｄにおいても、トイレシート１Ａと同様に、飼い主等の手がペットの排泄物に触れないように使用後のペット用トイレシート１Ｄを簡単に処理できる。また、トイレシート１Ｄにおいても、コの字状を形成する一対の強接着部７２，７２及び強接着部７１を軸として、最外層シート５を転回して裏返すので、犬の排泄物である大便を完全に覆うことができ、使用後のペット用トイレシート１Ｄを持ち運んでも、ペットの排泄物が外部から見え難く、他人に不快な思いをさせたり、飼い主が恥ずかしい思いをしたりし難い。
【００５９】
本発明のペット用トイレシートは、上述の第１実施形態のトイレシート１Ａ、第２実施形態のトイレシート１Ｂ、第３実施形態のトイレシート１Ｃ及び第４実施形態のトイレシート１Ｄに何ら制限されるものではなく、適宜変更可能である。また、上述の第１，第２，第３，第４実施形態のトイレシートにおける各構成要件は、本発明の趣旨を損なわない範囲で、適宜組み合わせて実施できる。
【００６０】
例えば、上述したトイレシート１Ａ、トイレシート１Ｂ及びトイレシート１Ｃにおいては、図２，図６，図７に示すように、最外層シート５を構成する一対のシート部５ａ，５ｂが、それぞれ、Ｙ方向に長い形状であるが、Ｘ方向に長い形状であってもよい。また、上述したトイレシート１Ｄにおいては、図８に示すように、最外層シート５が、Ｙ方向に長い形状であるが、Ｘ方向に長い形状であってもよい。
【００６１】
また、本発明のペット用トイレシートの各構成材料には、本発明の効果を損ねない範囲で種々添加剤を配合しても良い。添加剤としては、抗菌剤、無色系又は淡色系の消臭剤、香料などが挙げられる。
【００６２】
本実施形態のペット用トイレシートは、犬や猫などの動物用トイレシートとして好適であるが、このほか、ウサギ、ハムスター等の動物用トイレシートとしても使用可能である。
【符号の説明】
【００６３】
１Ａ，１Ｂ，１Ｃ，１Ｄ  ペット用トイレシート
２  表面シート
３  裏面シート
４  吸収体
１０  シート本体
１１，１２  側辺
５  最外層シート
５ａ，５ｂ  シート部
５１  開口部
５２  先端部分
６  外周縁部
６１  短手シール部
６２  長手シール部
７１，７２  強接着部
７３  仮固定部
８  ミシン目
【図１】
2013111048.tif 000003
【図２】
2013111048.tif 000004
【図３】
2013111048.tif 000005
【図４】
2013111048.tif 000006
【図５】
2013111048.tif 000007
【図６】
2013111048.tif 000008
【図７】
2013111048.tif 000009
【図８】
2013111048.tif 000010